(57)【特許請求の範囲】
【請求項１】
配送票基材と、
前記配送票基材に配置され、少なくとも荷受人表示欄を備える配送管理票と、
前記配送管理票に切り離し予定線を介して連接され、少なくとも荷受人表示欄を備える代金管理票と、
前記配送票基材と前記配送管理票との間に配置され、一旦分離した代金管理票を保管する管理票保管ポケットと、
前記配送票基材に形成され、荷物に貼付可能な接着層と
を有する代金管理票付き配送伝票。
【請求項２】
請求項１に記載の代金管理票付き配送伝票において、
前記配送票基材に切り離し予定線を介して連接され、前記代金管理票を保持する代金票基材をさらに有する
ことを特徴とする代金管理票付き配送伝票。
【請求項３】
請求項１又は請求項２に記載の代金管理票付き配送伝票において、
前記接着層に剥離可能に貼付され、その接着層を保護する剥離基材をさらに有する
ことを特徴とする代金管理票付き配送伝票。
【請求項４】
請求項１から請求項３までのいずれか１項に記載の代金管理票付き配送伝票において、
前記管理票保管ポケットは、前記配送票基材に３辺を接着し、１辺を開放するポケット形成基材で形成されている
ことを特徴とする代金管理票付き配送伝票。
【請求項５】
請求項１から請求項４までのいずれか１項に記載の代金管理票付き配送伝票において、
前記管理票保管ポケットは、封緘手段を有する
ことを特徴とする代金管理票付き配送伝票。
【請求項６】
請求項５に記載の代金管理票付き配送伝票において、
前記管理票保管ポケットは、前記封緘手段で封緘後、封緘部分を切り離す切離手段をさらに有する
ことを特徴とする代金管理票付き配送伝票。
【発明の詳細な説明】
【０００１】
【発明の属する技術分野】
本発明は、コンビニエンスストアなどで一時保管され、代金と引換に荷受人に引き渡される荷物に添付可能な代金管理票付き配送伝票に関するものである。
【０００２】
【従来の技術】
従来より、支払票や納品書などを荷物に添付可能な配送伝票として、例えば、配達票に封筒も重ねて綴じ合わせて、支払票などを挿入可能にした封筒型配送伝票（実公平３−２５９８３号公報）や、配送荷物に貼着可能な封筒に配達票を連接して、配送伝票として使用可能な帳票付き配送荷物貼着用封筒（実公平３−４６９３３号公報）などが知られている。
【０００３】
【発明が解決しようとする課題】
しかし、前述した配送伝票等は、支払票等を配送伝票と別工程で印字した後、配送伝票と照合するため、照合作業が繁雑であった。
また、実公平３−２５９８３号公報の封筒型配送伝票は、支払票等を取り出す際、封筒に開封のきっかけとなる部分がないので、開封し難かった。
実公平３−４６９３３号公報の帳票付き配送荷物貼着用封筒は、開口部を荷物に接着して封緘するので、支払票等を取り出すために封筒を剥ぎ取らなければならず、開封し難かった。また、封筒と配達票とが並んでいるので、大型であり、さらに、配達票は、荷物に接着していないので、配送途中で破けてしまう可能性があった。
【０００４】
本発明の課題は、支払票等を簡単に照合することができ、また、荷物に確実に添付することができる代金管理票付き配送伝票を提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、配送票基材（１１）と、配送票基材（１１）に配置され、少なくとも荷受人表示欄を備える配送管理票（１３，１４，１５）と、配送管理票（１５）に切り離し予定線（ｂ２）を介して連接され、少なくとも荷受人表示欄を備える代金管理票（１７）と、配送票基材（１１）と配送管理票（１３）との間に配置され、一旦分離した代金管理票（１７）を保管する管理票保管ポケット（１２ａ）と、配送票基材（１１）に形成され、荷物に貼付可能な接着層（１８）とを有する代金管理票付き配送伝票である。
【０００６】
請求項２の発明は、請求項１に記載の代金管理票付き配送伝票において、配送票基材（１１）に切り離し予定線（ｂ２）を介して連接され、代金管理票（１７）を保持する代金票基材（１６）をさらに有することを特徴とする代金管理票付き配送伝票である。
【０００７】
請求項３の発明は、請求項１又は請求項２に記載の代金管理票付き配送伝票において、接着層（１８）に剥離可能に貼付され、その接着層（１８）を保護する剥離基材（１９）をさらに有することを特徴とする代金管理票付き配送伝票である。
【０００８】
請求項４の発明は、請求項１から請求項３までのいずれか１項に記載の代金管理票付き配送伝票において、管理票保管ポケット（１２ａ）は、配送票基材（１１）に３辺を接着し、１辺を開放するポケット形成基材（１２）で形成されていることを特徴とする代金管理票付き配送伝票である。
【０００９】
請求項５の発明は、請求項１から請求項４までのいずれか１項に記載の代金管理票付き配送伝票において、管理票保管ポケット（１２ａ）は、封緘手段（２０）を有することを特徴とする代金管理票付き配送伝票である。
【００１０】
請求項６の発明は、請求項５に記載の代金管理票付き配送伝票において、管理票保管ポケット（１２ａ）は、封緘手段（２０）で封緘後、封緘部分（１１ａ）を切り離す切離手段（ｄ）をさらに有することを特徴とする代金管理票付き配送伝票である。
【００１１】
【発明の実施の形態】
以下、図面等を参照して、本発明の実施の形態について、さらに詳しく説明する。
（実施形態）
図１は、本発明による代金管理票付き配送伝票の一実施形態を示す図である。図中、（Ａ）は、上面図、（Ｂ）は、（Ａ）のＢ−Ｂ断面図である。
代金管理票付き配送伝票１０は、配送票基材１１と、ポケット形成基材１２と、配達票１３と、貼付票１４と、売上票１５と、代金票基材１６と、代金管理票１７と、接着層１８と、剥離基材１９とを有する。また、代金管理票付き配送伝票１０は、両端辺に、切り離し予定線ｂ１を介して、ピントラクタで送るためのマージナル部ａを備えている。
【００１２】
配送票基材１１は、この代金管理票付き配送伝票１０の担体となる基材であって、マージナル部ａに沿って配達票１３、貼付票１４及び売上票１５を綴じ合わせている。また、配送票基材１１は、ポケット形成基材１２とともに、管理票保管ポケット１２ａを形成する。
【００１３】
配送票基材１１は、マージナル部ａに平行する切り離し予定線ｂ２に沿って、代金管理票１９を管理票保管ポケット１２ａに挿入した後に封緘する封緘部１１ａを備える。封緘部１１ａは、封緘接着層２０と、封緘剥離基材２１と、折り曲げ予定線ｃと、開封予定線ｄとを有する。
封緘接着層２０は、封緘部１１ａをポケット形成基材１２に接着して封緘する層である。封緘接着層２０は、切り離し予定線ｂ２に沿って形成されている。
封緘剥離基材２１は、封緘接着層２０に剥離可能に貼付された基材であり、封緘接着層２０を保護する。封緘剥離基材２１は、紙、織物、プラスチックフィルム等から形成されており、封緘接着層２０側の面に、シリコーン系離型剤などによる剥離処理がなされている。
折り曲げ予定線ｃは、封緘部１１ａを折り曲げ容易にする線であり、ミシン目等で形成されている。また、折り曲げ予定線ｃは、代金管理票１９を管理票保管ポケット１２ａから取り出す際に切断して、開封容易にする。
開封予定線ｄは、代金管理票１９を管理票保管ポケット１２ａから取り出す際に切断して開封容易にする線である。開封予定線ｄは、封緘接着層２０より内側に、ミシン目等で形成されている。
【００１４】
ポケット形成基材１２は、配送票基材１１とともに管理票保管ポケット１２ａを形成する基材であり、配送票基材１１に配置されている。ポケット形成基材１２は、３辺を配送票基材１１に接着し、１辺を開放して、管理票保管ポケット１２ａを形成する。
【００１５】
配達票１３は、荷受人の受領印を捺印して、配達証明書となる票であり、配送票基材１１に、抜き取り可能に綴じ合わされている。すなわち、配達票１３は、マージナル部ａに沿って配送票基材１１に綴じ合わされるとともに、引き抜いたときに切断可能な切り離し予定線ｂ３を備える。配達票１３は、荷受人表示欄、受領捺印欄、配達記録欄などを備える。配達票１３は、貼付票１４に記入された事項を複写して表示する。
【００１６】
貼付票１４は、荷物配送時に、最上部に位置し、荷受人等を表示する票であって、配送者は、この貼付票１４を確認して配送する。貼付票１４は、荷物に貼り付けられたまま、荷受人に渡されるので、荷受人は、この貼付票１４によって、差出人を確認することができる。貼付票１４は、マージナル部ａに沿って、配達票基材１１等に綴じ合わせるとともに、２辺を配達票基材１１に接着し、袋状を形成して、配達票１３を不用意に脱落させないよう保護する。貼付票１４は、荷受人表示欄等を備え、下面の所定位置に備えるカーボン式等の複写構造により、荷受人表示欄等の必要な情報を配達票１３に複写する。
【００１７】
売上票１５は、荷物発送者の控えとなる票であり、荷受人表示欄、品名欄等を備える。売上票１５は、プリンター等の出力による荷受人の住所、氏名、荷物内容等を表示する。売上票１５は、下面の所定位置にカーボン式等の複写構造を備えており、必要な情報を貼付票１４に複写する。また、前述の通り、貼付票１４も複写構造を備えているので、同内容が、配達票１３にも複写される。売上票１５は、マージナル部ａに沿って配達票基材１１等に綴じ合わせるとともに、切り離し予定線ｂ４を備え、切り離し容易になっている。売上票１５は、荷物発送者において、切り離し予定線ｂ４で切り離されて、発送証明及び売上管理に使用される。
【００１８】
代金票基材１６は、プリンター等による荷受人の宛先等の出力時に、代金管理票１７を保持する基材である。代金票基材１６は、配送票基材１１に、切り離し予定線ｂ２を介して連接されている。また、代金票基材１６は、上面に、この代金管理票付き配送伝票１０の使用方法の説明が印刷され、下面に、接着層１８が形成されている。代金票基材１６は、荷物発送前に、代金管理票１７とともに配送票基材１１から切り離された後、代金管理票１７と分離され、荷物に貼付される。使用者は、荷物に貼付された代金票基材１６に印刷されている使用方法の説明を見ながら、代金管理票付き配送伝票１０を使用することができる。
【００１９】
代金管理票１７は、荷受人が荷物引き取り時に支払う代金等を表示する管理票である。代金管理票１７は、マージナル部ａで代金票基材１６に綴じ合わせる。代金管理票１７は、切り離し予定線ｂ２を介して、売上票１５を連接している。また、代金管理票１７は、切り離し予定線ｂ２に沿って、代金票基材１６に接着されている。
代金管理票１７は、支払確認票部１７ａ、中継者控え票部１７ｂ及び荷受人控え票部１７ｃを備える。
【００２０】
支払確認票部１７ａは、荷物を引き取るときに支払う代金等を表示するとともに、受領印捺印後、代金管理者に返却されて、支払代金管理を行う票部である。支払確認票部１７ａは、荷受人表示欄、受領捺印欄、代金表示欄、代金領収印欄、納品書番号欄等を備える。また、支払確認票部１７ａは、ＰＯＳシステムを利用することで、代金管理を簡単、確実にするために、納品書番号、代金等の情報をバーコード１７ｄにおいても表示している。支払確認票部１７ａは、切り離し予定線ｂ２を介して売上票１５に連接されている。
【００２１】
中継者控え票部１７ｂは、代金を受け取った荷物中継者の控え票になる票部である。中継者控え票部１７ｂは、荷受人表示欄、代金表示欄、代金領収印欄などを備える。中継者控え票部１７ｂは、切り離し予定線ｆを介して支払確認票部１７ａに連接されている。
【００２２】
荷受人控え票部１７ｃは、代金を支払った荷受人の控え票になる票部である。荷受人控え票部１７ｃは、荷受人表示欄、代金表示欄、代金領収印欄などを備える。荷受人控え票部１７ｃは、切り離し予定線ｇを介して中継者控え票部１７ｂに連接されている。
【００２３】
接着層１８は、被着対象物に貼付可能とする層であって、配送票基材１１及び代金票基材１６に形成されている。ただし、接着層１８は、封緘部１１ａには、形成されていない。封緘部１１ａで管理票保管ポケット１２ａを封緘する際、容易に折り曲げ可能にするためである。また、接着層１８は、マージナル部ａ及び配送票基材１１のマージナル部ａに平行する一部分（以下「接着剤抜き部分」という。）１８ａにも、形成されていない。剥離基材１９を剥離容易にするためである。
接着層１８は、アクリル系接着剤、天然ゴム系接着剤、合成ゴム系接着剤又はシリコーンゴム系接着剤などを塗布して形成することができる。
【００２４】
剥離基材１９は、接着層１８を保護する層である。剥離基材１９は、紙、織物、プラスチックフィルム等により形成されており、この上面、すなわち、接着層１８側の面には、シリコーン系離型剤などにより剥離処理がなされている。剥離基材１９は、接着剤抜き部分１８ａに、剥離基材１９を剥離しやすくする剥離開始線ｅを備える。また、剥離基材１９は、マージナル部ａの切り離し易くするために、切り離し予定線ｂ１を備える。さらに、剥離基材１９は、代金管理票付き配送伝票１０を二分し易くするために切り離し予定線ｂ２を備える。
【００２５】
（使用方法）
図２は、本発明による代金管理票付き配送伝票の荷物発送者における使用方法を説明する図である。
荷物発送者は、以下のように、代金管理票付き配送伝票１０を使用する。
（１）荷物発送者は、プリンタで品名等が印字されている代金管理票付き配送伝票１０が、荷物と一致していることを確認する。
このとき、売上票１５及び代金管理票１７には、荷受人名や、バーコードの情報など必要な情報が、すでに印字されている。
売上票１５及び代金管理票１７は、連接されているので、同時に印字することができ、例えば、異なる荷受人を印字してしまうというような印字ミスは発生しない。万一、何らかの原因により、そのような印字ミスが発生してしまったとしても、売上票１５及び代金管理票１７の両者を見比べることで、容易に印字ミスを発見できる。
また、売上票１５及び代金管理票１７は、連接されているので、簡単に照合することができる。
【００２６】
（２）（１）において、代金管理票付き配送伝票１０が、荷物と一致していることを確認した荷物発送者は、切り離し予定線ｂ１でマージナル部ａを切り離し、切り離し予定線ｂ２で代金管理票付き配送伝票１０を二分する（図Ａ）。
【００２７】
（３）（２）において、代金管理票付き配送伝票１０を二分した荷物発送者は、売上票１５を切り離し予定線ｂ４で切り離して、発送控えにする。また、荷物発送者は、代金管理票１７を代金票基材１６から剥がす（図Ｂ）。
【００２８】
（４）（３）において、代金管理票１７を代金票基材１６から剥がした荷物発送者は、配送票基材１１から剥離基材１９を剥離して、荷物に貼付する。また、荷物発送者は、代金管理票１７を切り離し予定線ｆで折り畳んだ後、切り離し予定線ｇでさらに折り畳む（図Ｃ）。
【００２９】
（５）（４）において、代金管理票１７を折り畳んだ荷物発送者は、その代金管理票１７を管理票保管ポケット１２ａに挿入する（図Ｄ）。
【００３０】
（６）（５）において、代金管理票１７を挿入した荷物発送者は、封緘部１１ａから封緘剥離基材２１を剥がして、封緘接着層２０を露出させ、折り曲げ予定線ｃで折り曲げて、封緘する（図Ｅ）。
【００３１】
（７）（６）において、封緘した荷物発送者は、荷物を荷物中継者に発送する。
【００３２】
図３は、本発明による代金管理票付き配送伝票の荷物中継者における使用方法を説明する図である。
荷物発送者から荷物を受けた荷物中継者は、以下のように、代金管理票付き配送伝票１０を使用する。
（１）荷物中継者は、荷物の引き取りにきた受取人が、荷受人本人に間違いないことを確認し、また、引き渡し荷物の品名や個数等の確認を行う（図Ａ）。
【００３３】
（２）（１）において、荷受人を確認した荷物中継者は、封緘部１１ａを折り曲げ予定線ｃ及び開封予定線ｄで開封する（図Ｂ）。
【００３４】
（３）（２）において、封緘部１１ａを開封した荷物中継者は、管理票保管ポケット１２ａから代金管理票１７を取り出す（図Ｃ）。
【００３５】
（４）（３）において、代金管理票１７を取り出した荷物中継者は、ＰＯＳシステムで、バーコード１７ｄを読み取り、代金を荷受人より受け取って、荷物を引き渡す。その際、配達票１３及び代金管理票１７に受領印をもらい、代金管理票１７を切り離して。支払確認票部１７ａ、中継者控え票部１７ｂ及び荷受人控え票部１７ｃにする。荷物中継者は、荷受人控え票部１７ｃを荷受人に引き渡し、中継者控え票部１７ｂを自分の控えとし、配達票１３を荷物発送者に、支払確認票部１７ａを代金管理者にそれぞれ返却して、処理を終了する。
【００３６】
本実施形態によれば、売上票１５及び代金管理票１７は、荷物に貼付する直前まで、連接されているので、簡単に照合することができる。
また、管理票保管ポケット１２ａを有するので、切り離した代金管理票１７を挿入・保管することができ、荷物に確実に添付することができる。また、封緘部１１ａは、封緘接着層２０を有するので、代金管理票１７を配送途中で紛失することなく、確実に荷物中継者に届けることができ、折り曲げ予定線ｃ及び開封予定線ｄを有するので、容易に開封可能である。
【００３７】
（変形形態）
以上説明した実施形態に限定されることなく、種々の変形や変更が可能であって、それらも本発明の均等の範囲内である。
例えば、管理票保管ポケット１２ａは、袋状に形成された基材を使用してもよい。
また、配達票１３、貼付票１４及び売上票１５は、用途等に応じて、枚数を増減することができる。
さらに、代金票基材１６も、用途に応じて、なくしてもよい。
さらにまた、代金管理票１７は、票部の枚数を自由に備えることができる。その配置位置も自由である。
【００３８】
【発明の効果】
以上詳しく説明したように、請求項１の発明によれば、配送管理票と、代金管理票とが、連接されているので、両票を簡単に照合することができる。
また、管理票保管ポケットを有するので、切り離した代金管理票を挿入・保管することができ、荷物に確実に添付することができる。
【００３９】
請求項２の発明によれば、代金票基材をさらに有するので、代金管理票を保持することができる。
【００４０】
請求項３の発明によれば、剥離基材を有するので、接着層を保護することができる。
【００４１】
請求項４の発明によれば、管理票保管ポケットは、前記配送票基材に３辺を接着し、１辺を開放するポケット形成基材で形成されているので、管理票ポケットを容易に形成できる。
【００４２】
請求項５の発明によれば、管理票保管ポケットは、封緘手段を有するので、代金管理票を配送途中で紛失することなく、確実に荷物中継者に届けることができる。
【００４３】
請求項６の発明によれば、管理票保管ポケットは、開封時に、封緘部分を切り離す切離手段を有するので、容易に開封可能である。
【図面の簡単な説明】
【図１】本発明による代金管理票付き配送伝票の一実施形態を示す図である。
【図２】本発明による代金管理票付き配送伝票の荷物発送者における使用方法を説明する図である。
【図３】本発明による代金管理票付き配送伝票の荷物中継者における使用方法を説明する図である。
【符号の説明】
１０  代金管理票付き配送伝票
１１  配送票基材
１１ａ  封緘部
１２  ポケット形成基材
１２ａ  管理票保管ポケット
１３  配達票
１４  貼付票
１５  売上票
１６  代金票基材
１７  代金管理票
１７ａ  支払確認票部
１７ｂ  中継者控え票部
１７ｃ  荷受人控え票部
１７ｄ  バーコード
１８  接着層
１８ａ  接着剤抜き部分
１９  剥離基材
２０  封緘接着層
２１  封緘剥離基材
ａ  マージナル部
ｂ１，ｂ２，ｂ３，ｂ４  切り離し予定線
ｃ  折り曲げ予定線
ｄ  開封予定線
ｅ  剥離開始線
ｆ  切り離し予定線
ｇ  切り離し予定線
【図１】
0004068238.tif 000002
【図２】
0004068238.tif 000003
【図３】
0004068238.tif 000004